(57)【要約】【課題】  従来のストリーム記録システムでは、ＩＥＥＥ１３９４インタフェースを介して外部からの入力ＴＳを記録する場合には、記録位置の制御ができず、繋ぎ記録時に繋ぎ点でストリームを崩すことなく記録を行うことができない。【解決手段】  送信側撮像装置では、磁気テープを再生してこれから送信するストリームの先頭部分のＰＣＲパケット２１を検出し、ＰＣＲ＿Ａを取得した後、このＰＣＲ＿Ａから、送信するストリームのＧＯＰを記録しているトラックの開始位置のＰＣＲの値（ＳＰＣＲ）を求めた後、このＳＰＣＲから予め定めたＮフレーム前の値（ＰＰＣＲ）を求める。その後、送信開始時には、ＤＩＴパケットを送信し、ＰＰＣＲの値を持つＰＣＲパケットを送信する。その後ＮフレームはＰＣＲを送信し、システムクロックがＳＰＣＲの値になったところで、磁気テープに記録されているストリームの再生と送信を開始する。【選択図】            図３
2006127587.tif 000002
【特許請求の範囲】
【請求項１】
情報信号が予め定めたパケットの信号形態で、かつ、時刻参照情報を含む予め定めた複数のパケットからなるグループ単位で時系列的に合成された第１のストリームを所定のインタフェースを介して送信する送信側機器と、
前記送信された前記第１のストリームを前記所定のインタフェースを介して受信する受信手段と、前記受信手段により受信された前記第１のストリームを前記時刻参照情報を用いて所定のフォーマットの第２のストリームに変換して記録媒体に記録する記録手段と、を少なくとも備えた受信側機器とが接続されたストリーム記録システムであって、
前記送信側機器は、
送信開始時に予め定めた送信開始用パケットに続いて、予め定めた時間を示す前記時刻参照情報を生成して送信する第１の送信手段と、
前記時刻参照情報送信時点から、該時刻参照情報が示す前記予め定めた時間経過後に、所望の前記グループ単位の先頭のパケットから前記第１のストリームの送信を開始させる第２の送信手段とを有し、
前記受信側機器は、
前記受信手段により前記送信開始用パケットに続いて前記予め定めた時間を示す時刻参照情報を受信したときには、受信したその時刻参照情報に基づいて前記第１のストリームに同期した基準信号を生成する基準信号生成手段と、
前記受信手段により前記時刻参照情報を受信してから前記予め定めた時間経過後に前記記録手段を制御して、受信された前記第１のストリームを所定のフォーマットの第２のストリームに変換して前記記録媒体に記録開始させる記録制御手段と、を有することを特徴とするストリーム記録システム。
【発明の詳細な説明】
【技術分野】
【０００１】
本発明はストリーム記録システムに係り、特に伝送されたＭＰＥＧ（Moving Picture Experts Group）ストリームを、ＩＥＥＥ１３９４等の規格により伝送して、記録媒体に記録するストリーム記録システムに関する。
【背景技術】
【０００２】
従来より、ＩＥＥＥ１３９４シリアルバスによるディジタル画像信号の同期・非同期通信が可能な撮像装置が知られている（例えば、特許文献１参照）。この撮像装置では、タイミングジェネレータにより生成されるクロックにより動作する撮像部と、撮像部と外部装置との間でデータ通信を行うためのＩＥＥＥ１３９４シリアルバスによるディジタル画像信号の同期・非同期通信が可能な１３９４カメラリンク層ブロックと、物理層ブロックとからなる通信用インタフェース部とを備え、通信用インタフェース部のクロックを撮像部のタイミングジェネレータに供給し、タイミングジェネレータを通信用インタフェース部のクロックに基づいて駆動することにより、ビート成分による画像の干渉縞の発生を防止する構成としたものである。
【０００３】
このような撮像装置が、その記録媒体に撮像した映像信号を記録し再生する記録再生機構を備えたカメラ一体型ＶＴＲである場合は、二台の撮像装置を用意し、一方の撮像装置の記録済みの第１の記録媒体から再生された再生映像信号を、ＩＥＥＥ１３９４シリアルバスを介して他方の撮像装置へ伝送して、その他方の撮像装置の第２の記録媒体にダビング記録あるいは繋ぎ記録することが可能となる。
【０００４】
ここで、上記の第２の記録媒体にダビング記録あるいは繋ぎ記録される再生映像信号が、例えば周知のＭＰＥＧ（Moving Picture Experts Group）方式により高能率圧縮符号化されたディジタル映像信号のトランスポートストリーム（ＴＳ）である場合、第２の記録媒体に繋ぎ記録されたディジタル映像信号をフリーズやノイズ無しに再生するためには、ＭＰＥＧ方式で定められた複数フレームからなる一つのＧＯＰ（Group of Picture）をそれに相当するトラックに記録し、１本のトラックには、違うＧＯＰのフレームが記録されてはならない。
【０００５】
つまり、例えば、フレームレートが３０Ｈｚで一つのＧＯＰが１２フレームの場合、その１２フレーム分を圧縮したＭＰＥＧのＴＳパケットは、後述のＨＤＶフォーマットのＨＤ１モードでは決められた１２０（＝１２×１０）トラックの中に記録しなければならず、この１２０トラックの中には他のＧＯＰのパケットが入ってはならない。このように記録すれば、ＧＯＰの切れ目のトラックで繋ぎ記録を開始することによって、ストリームを大きく崩すことなく、繋ぎ点でスムーズな再生を行うことが可能となる。
【０００６】
【特許文献１】特開２０００−１１５６０１号公報
【発明の開示】
【発明が解決しようとする課題】
【０００７】
しかしながら、前記ＩＥＥＥ１３９４規格でＴＳを送受信可能な従来の記録再生機構付きの撮像装置（カメラ一体型ＶＴＲ）が、磁気テープを用いてＭＰＥＧのＴＳを記録再生可能なＨＤＶ規格の撮像装置であり、そのＨＤＶ規格のＨＤ１モード（水平１２８０画素、垂直７２０画素の７２０ｐ信号などを、ＭＰＥＧ２−ＴＳの信号形態で、プロファイル／レベルがＭＰ＠ＨＬなどで、記録レート１９.７Ｍｂｐｓで記録、再生するモード）で、一方の撮像装置から再生されたＴＳをＩＥＥＥ１３９４インタフェース経由で他方の撮像装置に伝送してダビング記録を行う場合、従来は、ＨＤ１モードでの記録位置の同期に関する規定はないため、送信側のＧＯＰの記録タイミングを記録側（受信側）で検出できないため、タイミングの制御を行うことなく記録している。
【０００８】
このため、上記の２台の撮像装置から構成される従来のストリーム記録システムでは、ＩＥＥＥ１３９４インタフェースを介して外部からの入力ＴＳを記録する場合には、記録位置の制御ができず、１トラック中に２つのＧＯＰのパケットが記録されてしまい、繋ぎ記録時に繋ぎ点でストリームを崩すことなく記録を行うことができないという問題がある。
【０００９】
本発明は以上の点に鑑みなされたもので、ダビング記録時や編集後の書き戻しをした記録媒体であっても、その記録媒体の繋ぎ撮り個所をスムーズに再生することが可能なストリーム記録システムを提供することを目的とする。
【課題を解決するための手段】
【００１０】
上記の目的を達成するため、本発明は、情報信号が予め定めたパケットの信号形態で、かつ、時刻参照情報を含む予め定めた複数のパケットからなるグループ単位で時系列的に合成された第１のストリームを所定のインタフェースを介して送信する送信側機器と、送信された第１のストリームを所定のインタフェースを介して受信する受信手段と、受信手段により受信された第１のストリームを時刻参照情報を用いて所定のフォーマットの第２のストリームに変換して記録媒体に記録する記録手段と、を少なくとも備えた受信側機器とが接続されたストリーム記録システムであって、
送信側機器は、送信開始時に予め定めた送信開始用パケットに続いて、予め定めた時間を示す時刻参照情報を生成して送信する第１の送信手段と、時刻参照情報送信時点から、時刻参照情報が示す予め定めた時間経過後に、所望のグループ単位の先頭のパケットから第１のストリームの送信を開始させる第２の送信手段とを有し、
受信側機器は、受信手段により送信開始用パケットに続いて予め定めた時間を示す時刻参照情報を受信したときには、受信したその時刻参照情報に基づいて第１のストリームに同期した基準信号を生成する基準信号生成手段と、受信手段により時刻参照情報を受信してから予め定めた時間経過後に記録手段を制御して、受信された第１のストリームを所定のフォーマットの第２のストリームに変換して記録媒体に記録開始させる記録制御手段と、を有することを特徴とする。
【００１１】
この発明では、送信側機器においては、送信開始時に予め定めた送信開始用パケットに続いて予め定めた時間を示す時刻参照情報を生成して送信させた後、予め定めた時間経過後に、グループ単位の先頭のパケットから第１のストリームを送信し、受信側機器においては、受信した送信開始用パケット及び時刻参照情報に基づいて、その時刻参照情報受信時点から予め定めた時間経過後に受信した第１のストリームの記録媒体への記録を開始するようにしたため、受信側機器では、第１のストリームのグループ単位の先頭のパケットから記録開始することができる。
【発明の効果】
【００１２】
本発明によれば、送信側機器における第１のストリームのグループ単位の先頭のパケットの記録タイミングを受信側機器で検出することができない伝送フォーマット規格であっても、受信側機器では、受信した送信開始用パケット及び時刻参照情報に基づいて、その時刻参照情報受信時点から予め定めた時間経過後に受信した第１のストリームの記録媒体への記録を開始することにより、第１のストリームのグループ単位の先頭のパケットから記録開始することができるため、記録媒体に送信側機器から送信された第１のストリームのダビング記録時や繋ぎ撮り記録の繋ぎ記録箇所をストリームを崩すことなく記録ができ、繋ぎ記録箇所をスムーズに再生することができ、特に送信側機器及び受信側機器としてＨＤＶ規格のＨＤ１モード対応機器に適用して好適である。
【発明を実施するための最良の形態】
【００１３】
次に、本発明の実施の形態について図面と共に説明する。図１は本発明になるストリーム記録システムの一実施の形態の概略構成図を示す。同図に示すように、本実施の形態のストリーム記録システムは、それぞれＩＥＥＥ１３９４インタフェースを備えた送信側撮像装置１と受信側撮像装置２とがケーブル３を介して接続された構成である。
【００１４】
送信側撮像装置１と受信側撮像装置２はそれぞれ同一構成であり、前述したＨＤＶ規格のフォーマットで撮像映像信号をＭＰＥＧ２−ＴＳの信号形態で磁気テープに記録し再生する機能を備えたカメラ一体型ＶＴＲ（所謂ムービー）であり、送信側撮像装置１が、装填されている記録済みの磁気テープからＨＤＶ規格のＨＤ１モードのＴＳを再生してケーブル３を介して送信し、受信側撮像装置２がそれを受信して、装填されている一部記録済みの又は未記録の磁気テープにＨＤＶ規格のＨＤ１モードでダビング記録あるいは繋ぎ撮り記録する構成で、送信側撮像装置１の送信タイミングと受信側撮像装置２の受信タイミングとを本実施の形態特有の方法で決定して、繋ぎ記録時に繋ぎ点でストリームを崩すことなく記録を行えるようにしたものである。
【００１５】
なお、本発明のストリーム記録システムは、送信側機器はＨＤＶ規格のＨＤ１モードに対応したＭＰＥＧエンコーダやパーソナルコンピュータ（ＰＣ）であっても適用可能であるが、図１では説明の便宜上、送信側も受信側と同じ撮像装置であるとしている。
【００１６】
次に、本実施の形態の動作について説明する。送信側撮像装置１に装填されている磁気テープには、図２に模式的に示すように、記録トラックＴ１〜Ｔ９等が順次に形成されており、記録トラックＴ３の先頭から記録ＴＳを再生して送信するものとする。ここで、記録トラックＴ１〜Ｔ９等はＨＤＶ規格のＨＤ１モードで正常にディジタル映像信号がＴＳの形態で記録されており、送信開始する記録トラックＴ３の先頭にはＧＯＰの先頭位置が記録されているものとする。
【００１７】
また、ＧＯＰ内には必ずプログラム時刻基準参照値（ＰＣＲ：Program Clock Reference）が所定時間間隔であり、このＰＣＲのうちの先頭部分のＰＣＲが図２に２１で示すように記録トラックＴ４に記録されているものとする。送信側撮像装置１では、まず、磁気テープを再生してこれから送信するストリームの先頭部分のＰＣＲパケット２１を検出し、ＰＣＲの値（ＰＣＲ＿Ａ）を取得する。このＰＣＲ＿Ａには、図３に示すようにＰＣＲパケット２１の送信時間を表わすタイムスタンプｔ２が書かれている。
【００１８】
続いて、送信側撮像装置１はこのタイムスタンプｔ２から、送信するストリームのＧＯＰを記録しているトラックＴ３の開始位置のＰＣＲの値（ＳＰＣＲ）、すなわちＧＯＰ先頭時刻ｔ１を図３に模式的に示すように求めた後、このＰＣＲの値（ＳＰＣＲ）から予め定めた数フレーム（ここではＮ）前の値（ＰＰＣＲ）を図３に模式的に示すように求める。
【００１９】
続いて、送信側撮像装置１は、記録トラックＴ３以降に記録されているＴＳの送信に先立って、パケットの途切れを示す予め定められた公知のＤＩＴパケットを図３に模式的に示すように送信し、その後、ＰＰＣＲの値を持つＰＣＲパケットを送信する。その後ＮフレームはＰＣＲをＨＤＶフォーマットのＨＤ１モードの規格に合わせて送信し、システムクロックがＳＰＣＲの値になったところで、図３に模式的に示すように磁気テープに記録されているダビングするストリームの再生及びその送信を開始する。これにより、図２に示す記録トラックＴ３以降の記録ＴＳの再生及びその送信がＧＯＰ先頭位置から開始される。
【００２０】
次に、受信側撮像装置２の構成及び動作について図４及び図５と共に説明する。図４は受信側撮像装置２の一実施の形態のブロック図を示す。同図に示すように、受信側撮像装置２はＩＥＥＥ１３９４インタフェースを介して送信側撮像装置１から送信されたＴＳを受信部１１で受信し、受信ＴＳを受信ＴＳ中のＰＣＲによりセットされるカウンタを有する公知の構成のＰＬＬ１２とＭＰＥＧデコーダ１３とフォーマッタ１５にそれぞれ供給する。
【００２１】
ＰＬＬ１２は、ＤＩＴパケット後の最初のＰＣＲパケットの到着時刻をフレームの切り替わり点として内部のカウンタがＰＰＣＲの値にセットされ、ＰＣＲの値に同期した２７ＭＨｚのシステムクロックを生成し、そのシステムクロックを基準信号発生器１４に供給して基準信号を発生させる一方、ＭＰＥＧデコーダ１３に供給する。
【００２２】
上記の基準信号は、フォーマッタ１５、マイクロコンピュータ（マイコン）１６、及びサーボ回路１９にそれぞれ供給され、フレームや記録トラックの基準となるタイミングを作成する。このようにすることで送信側と受信側のフレームやトラックが同期し位相がロックする。そして、記録再生ヘッド１８をこのトラック基準に合わせて動作させることで送信側と受信側のヘッドの位置がロックする。
【００２３】
一方、フォーマッタ１５はＨＤＶ規格のＨＤ１モードで入力ＴＳ信号をフォーマットする大規模半導体集積回路（ＬＳＩ）である。また、サーボ回路１９は、記録再生ヘッド１８を基準信号に同期させて動作させる。また、マイコン１６は、フォーマッタ１５及びサーボ回路１９の動作を制御するが、これらをＰＰＣＲの値を持つＰＣＲパケット受信からＮフレーム経過するまでは記録動作を待機状態（記録ポーズ状態）に制御している。このＰＰＣＲの値を持つＰＣＲパケット受信後のＮフレームの記録待機時間（記録ポーズ時間は、ＰＣＲで内部のカウンタがセットされるＰＬＬ１２の動作を安定させるのに使われる。
【００２４】
この状態で、マイコン１６は、図５に模式的に示すように、ＰＰＣＲの値を持つＰＣＲパケット受信からＮフレーム経過した時刻ｔ３に達したことを検出すると、フォーマッタ１５及びサーボ回路１９を制御して、受信部１１にて受信されフォーマッタ１５でＨＤＶ規格のＨＤ１モードのフォーマットに変換されたＴＳパケットを、アンプ１７を介して記録再生ヘッド１８に供給して、これにより磁気テープ２０に順次に記録トラックを形成して記録し始める。
【００２５】
なお、記録再生ヘッド１８による磁気テープ２０へのＴＳパケットの記録は、例えば周知のヘリカルスキャニング方式により、回転する記録再生ヘッド１８により一定方向に走行する磁気テープ２０に対してテープ長手方向に対して傾斜した記録トラックを形成して行われる。
【００２６】
ここで、記録開始される最初のトラックは、ＰＰＣＲの値を持つＰＣＲパケット受信からＮフレーム経過した直後に記録開始されるものであるから、図３に時刻ｔ１で示した時刻から再生開始される送信側撮像装置１の磁気テープ上の図２の記録トラックＴ３に対応したトラックである。この記録開始される最初のトラックをＧＯＰの先頭位置記録トラックと認識する。
【００２７】
このようにして、本実施の形態によれば、受信側撮像装置２は、送信側撮像装置１のＧＯＰの記録タイミングを間接的に検出することができるため、送信側撮像装置１が再生する磁気テープとほぼ同じ磁気テープ上の位置に、受信したパケットをＨＤＶ規格のＨＤ１モードで記録することが可能になる。従って、受信側撮像装置２により磁気テープの記録ダビング時や編集後の書き戻しをした磁気テープであっても、その磁気テープの繋ぎ撮り箇所をストリームを崩すことなくスムーズに再生することができる。
【００２８】
なお、本発明は以上の実施の形態に限定されるものではなく、送信側及び受信側は撮像装置でなくてもよい。送信側機器が例えばＰＣの場合は、ハードディスクのファイルにＴＳが記録されているが、ＴＳのＧＯＰの先頭パケットのアドレスはＰＣが管理しているので、送信するＴＳのＧＯＰの先頭のパケットはファイルを再生することなく分かり、また、例えば送信側機器がＭＰＥＧエンコーダの場合は、記録媒体の記録再生機能は有していないが、送信するＴＳのＧＯＰの先頭のパケットは分かるので、いずれも送信開始前にＤＩＴパケット、ＰＰＣＲの値を持つＰＣＲパケットの順で送信した後、Ｎフレーム経過後にシステムクロックがＳＰＣＲの値になったところで、記録しようとするＴＳをＧＯＰの先頭パケットから順に送信開始する。
【図面の簡単な説明】
【００２９】
【図１】本発明システムの一実施の形態の概略構成図である。
【図２】送信側の磁気テープ上の記録トラックの記録情報の一例を模式的に示す図である。
【図３】図１中の送信側撮像装置が送信する情報及びその送信タイミングの一例の説明図である。
【図４】図１中の受信側撮像装置の一実施の形態の概略ブロック図である。
【図５】図４の受信側撮像装置の一例の記録開始タイミング説明図である。
【符号の説明】
【００３０】
１  送信側撮像装置
２  受信側撮像装置
１１  受信部
１２  ＰＣＲ  ＰＬＬ
１３  ＭＰＥＧデコーダ
１４  基準信号発生器
１５  フォーマッタ
１６  マイクロコンピュータ（マイコン）
１８  記録再生ヘッド
１９  サーボ回路
２０  磁気テープ
【図１】
2006127587.tif 000003
【図２】
2006127587.tif 000004
【図３】
2006127587.tif 000005
【図４】
2006127587.tif 000006
【図５】
2006127587.tif 000007